(57)【要約】【課題】放射線入射により微小な電離電流信号を発生する電離箱及びその微小な電離電流信号を変換する信号変換器の電磁誘導ノイズの影響を低減する放射線モニタを得る。【解決手段】電離箱１、高電圧ケーブル２、電流信号ケーブル３、信号変換器４、複合ケーブル５のすべてを、アウターシールド（１１、２１、３１、４１、５４）とインナーシールド（１２、２２、３２、４２、４５１ａ、４５１ｂ、４５１ｃ、５１１、５２１）の二重シールドで電磁遮蔽した構造とした。【選択図】図１
2011080862.tif 000002
【特許請求の範囲】
【請求項１】
放射線を検出して電離電流を出力する電離箱と、該電離箱に高電圧を印加する高電圧ケーブルと、前記電離箱から出力された電離電流を伝送する電流信号ケーブルと、前記電離電流を入力し該電離電流に対応した信号に変換して出力する信号変換器と、該信号変換器から出力された信号を伝送するとともに、前記信号変換器に電源を供給し、該信号変換器を介し前記電離箱に高電圧を供給する複合ケーブルと、該複合ケーブル経由で信号を入力し工学値に変換して出力するとともに、前記複合ケーブル経由で電源及び高電圧を供給する測定部とを備えた放射線モニタにおいて、
前記電離箱は、アウターシールド、該アウターシールドの内部に該アウターシールドと絶縁されたインナーシールド、及び該インナーシールドの内部に該インナーシールドと絶縁された信号極と高電圧極を有し、
前記高電圧ケーブルは、アウターシールド、該アウターシールドの内部に該アウターシールドと絶縁されたインナーシールド、及び該インナーシールドの内部に該インナーシールドと絶縁され前記電離箱の高電圧極と接続され高電圧を伝送する芯線を有し、
前記電流信号ケーブルは、アウターシールド、該アウターシールドの内部に該アウターシールドと絶縁されたインナーシールド、及び該インナーシールドの内部に該インナーシールドと絶縁され前記電離箱の信号極と接続され電離電流を伝送する芯線を有し、
前記信号変換器は、アウターシールド、該アウターシールドの内部にインナーシールド、該インナーシールドの内部に該インナーシールドと絶縁され前記高電圧ケーブルの芯線と接続され高電圧を伝送する芯線、及び前記インナーシールドの内部に該インナーシールドと絶縁され前記電流信号ケーブルの芯線と接続され電離電流を対応する信号に変換する信号変換部を有し、
前記複合ケーブルは、アウターシールド、該アウターシールドの内部にインナーシールド、該インナーシールドの内部に該インナーシールドと絶縁され前記信号変換器で高電圧を伝送する芯線に接続され高電圧を伝送する芯線、及び前記インナーシールドの内部に該インナーシールドと絶縁され前記信号変換器の信号変換部に接続され変換された信号を伝送する芯線を有することを特徴とする放射線モニタ。
【請求項２】
前記電離箱と前記高電圧ケーブルと前記電流信号ケーブルの夫々のアウターシールドは互いに電気的に接続され、
前記電離箱と前記高電圧ケーブルと前記電流信号ケーブルの夫々のインナーシールドは互いに電気的に接続され、
前記アウターシールドと前記インナーシールドは前記信号変換器の内部で該信号変換器のインナーシールドと接続され、
前記信号変換器のインナーシールドは前記複合ケーブルのインナーシールドと接続され前記測定部にて１点で接地されることを特徴とした請求項１に記載の放射線モニタ。
【請求項３】
前記信号変換器のアウターシールドは、該信号変換器のインナーシールドと絶縁され、１点で接地されることを特徴とした請求項２に記載の放射線モニタ。
【請求項４】
前記高電圧ケーブルと前記信号変換器の接続部、前記電流信号ケーブルと前記信号変換器の接続部、及び前記信号変換器と前記複合ケーブルとの接続部の少なくとも１つを覆う取り外し可能な絶縁キャップを設けたことを特徴とする請求項３に記載の放射線モニタ。
【請求項５】
前記電離箱と前記高電圧ケーブルと前記電流信号ケーブルと前記信号変換器と前記複合ケーブルの夫々のアウターシールドは互いに電気的に接続され、
前記電離箱と前記高電圧ケーブルと前記電流信号ケーブルと前記信号変換器と前記複合ケーブルの夫々のインナーシールドは互いに電気的に接続され、
前記アウターシールドと前記インナーシールドは前記測定部で電気的に接続され該測定部
で１点で接地されることを特徴とした請求項１に記載の放射線モニタ。
【請求項６】
前記電離箱は、前記信号極の内部に前記高電圧極を配し、前記電離箱のアウターシールドと前記電離箱のインナーシールドと前記信号極と前記高電圧極を同軸状に配置したことを特徴とする請求項１〜５のいずれか１項に記載の放射線モニタ。
【請求項７】
前記電離箱は、前記高電圧極が互いに電気的に接続される第１の高電圧極と第２の高電圧極の２つからなり、前記第１の高電圧極の内部に前記信号極を、該信号極の内部に前記第２の高電圧極を配し、前記電離箱のアウターシールドと前記電離箱のインナーシールドと前記第１の高電圧極と前記信号極と前記第２の高電圧極を同軸状に配置したことを特徴とする請求項１〜５のいずれか１項に記載の放射線モニタ。
【発明の詳細な説明】
【技術分野】
【０００１】
この発明は、原子力発電所、核燃料再処理施設などに設置され、放射線検出器として電離箱を備え、測定対象のγ線が入射することにより電離箱から出力される微小な電流信号を電圧または周波数等の信号に変換し、その変換信号により放射線量または放射能量を測定する放射線モニタに関するものである。
【背景技術】
【０００２】
原子力発電所、核燃料再処理施設などでは、放射線量または放射能量を測定するために放射線検出器として電離箱を使用し、通常の放射線レベルから事故を想定した放射線レベルまで広い測定範囲をカバーするため、電離箱に放射線が作用した結果として発生する電離電流を電圧または周波数に変換して測定する放射線モニタが設置されている。
【０００３】
従来、この種の放射線モニタにおいて、電離箱はガスを封入した管をシールド極とし、その内側に信号極を、さらにその内側に高電圧極を配置した構造のものを使用している。電離箱から出力される電離電流は、例えばレンジ下限が１０−１２Ａのオーダであり極微小である。このため、電離電流を電離箱からケーブルを介して伝送し信号変換する際に、電磁ノイズの影響を受けやすい。
【０００４】
このように、放射線検出器から出力される信号が微小の場合、信号を伝送する信号ケーブルからの電磁ノイズの影響を少なくするために、信号ケーブルはアウターシールドの内側にインナーシールドを、そのインナーシールドの内側に芯線を配置した二重シールド構造としている（例えば、特許文献１参照）。
【先行技術文献】
【特許文献】
【０００５】
【特許文献１】特開平５−２８１３６３号公報（段落００１３−００１５、図１）
【発明の概要】
【発明が解決しようとする課題】
【０００６】
従来の放射線モニタは以上のように構成されているため、放射線入射により微小な電離電流信号を発生する電離箱及びその微小な電離電流信号を変換する信号変換器が一重シールド構造であるため、電離箱周辺及び信号変換器周辺の電磁誘導ノイズの影響を受けやすいという問題点があった。
【０００７】
この発明は、上記のような課題を解決するためになされたものであり、電離箱及び信号変換器周辺の電磁誘導ノイズの影響を低減することを目的とする。
【課題を解決するための手段】
【０００８】
この発明に係る放射線モニタは、放射線を検出して電離電流を出力する電離箱と、電離箱に高電圧を印加する高電圧ケーブルと、電離箱から出力された電離電流を伝送する電流信号ケーブルと、電離電流を入力しこの電離電流に対応した信号に変換して出力する信号変換器と、信号変換器から出力された信号を伝送するとともに、信号変換器に電源を供給し、信号変換器を介し電離箱に高電圧を供給する複合ケーブルと、複合ケーブル経由で信号を入力し工学値に変換して出力するとともに、複合ケーブル経由で電源及び高電圧を供給する測定部とを備えた放射線モニタにおいて、電離箱は、アウターシールド、このアウターシールドの内部にアウターシールドと絶縁されたインナーシールド、及びこのインナーシールドの内部にインナーシールドと絶縁された信号極と高電圧極を有し、高電圧ケーブルは、アウターシールド、このアウターシールドの内部にアウターシールドと絶縁されたインナーシールド、及びこのインナーシールドの内部にインナーシールドと絶縁され電離箱の高電圧極と接続され高電圧を伝送する芯線を有し、電流信号ケーブルは、アウターシールド、このアウターシールドの内部にアウターシールドと絶縁されたインナーシールド、及びこのインナーシールドの内部にインナーシールドと絶縁され電離箱の信号極と接続され電離電流を伝送する芯線を有し、信号変換器は、アウターシールド、このアウターシールドの内部にインナーシールド、このインナーシールドの内部にインナーシールドと絶縁され高電圧ケーブルの芯線と接続され高電圧を伝送する芯線、及びインナーシールドの内部にインナーシールドと絶縁され電流信号ケーブルの芯線と接続され電離電流を対応する信号に変換する信号変換部を有し、複合ケーブルは、アウターシールド、このアウターシールドの内部にインナーシールド、このインナーシールドの内部にインナーシールドと絶縁され信号変換器で高電圧を伝送する芯線に接続され高電圧を伝送する芯線、及びインナーシールドの内部にインナーシールドと絶縁され信号変換器の信号変換部に接続され変換された信号を伝送する芯線を有する構造としたものである。
【発明の効果】
【０００９】
この発明に係る放射線モニタは、電離箱、高電圧ケーブル、電流信号ケーブル、信号変換器、複合ケーブルのすべてを、アウターシールドとインナーシールドの二重シールドで電磁遮蔽した構造としたため、電離箱周辺及び信号変換器周辺の電磁誘導ノイズの影響を低減することができる。
【図面の簡単な説明】
【００１０】
【図１】図１はこの発明の実施の形態１の放射線モニタにおける構成を示すブロック図である。
【図２】図２はこの発明の実施の形態２の放射線モニタの電離箱における構成を示すブロック図である。
【図３】図３はこの発明の実施の形態３の放射線モニタにおける構成を示すブロック図である。
【図４】図４はこの発明の実施の形態４の放射線モニタの信号変換器に配置する絶縁キャップの斜視図である。
【発明を実施するための形態】
【００１１】
実施の形態１．
図１は、この発明の実施の形態１における放射線モニタの構成を示すブロック図である。図１において、電離箱１は放射線を検出して電離電流を出力し、高電圧ケーブル２は電離箱１に高電圧を印加する。電流信号ケーブル３は、電離箱１から出力された電離電流を伝送して信号変換器４に入力する。この信号変換器４では、前記電流信号ケーブル３で伝送されてきた電離電流を電圧または周波数の信号に変換して出力する。複合ケーブル５は、信号変換器４から出力された信号を測定部６に伝送する。また、測定部６からは、複合ケーブル５を介して信号変換器４に電源を供給すると共に、複合ケーブル５、信号変換器４及び高電圧ケーブル２経由で電離箱１に高電圧を供給する。さらに、測定部６は信号変換器４で変換された電圧または周波数の信号を入力し、工学値に変換して出力する。
【００１２】
上記で説明した電離箱１、高電圧ケーブル２、電流信号ケーブル３、信号変換器４、複合ケーブル５、測定部６の詳細構成についてさらに説明する。電離箱１は、金属製の外筒１１（アウターシールド）の内側に金属製の内筒１２（インナーシールド）を、この内筒１２の内側に筒状の信号極１３を、この信号極１３の内側に円柱状または筒状の高電圧極１４を配している。これら外筒１１、内筒１２、信号極１３及び高電圧極１４の配置は同軸状とし、それぞれを互いにセラミック絶縁板１５ａ、１５ｂで絶縁し、外筒１１にガス１６を封入して一様に分布するようにしている。
【００１３】
ＭＩ（Mineral  Insulation）ケーブル１７ａ、１７ｂは、アウターシールド１７１ａ
、１７１ｂの内側にインナーシールド１７２ａ、１７２ｂを、このインナーシールド１７２ａ、１７２ｂの内側に芯線１７３ａ、１７３ｂを配置して酸化マグネシウムなどの絶縁材１７４ａ、１７４ｂを充填した二重シールド構造である。なおシールドは一般的に金属性導体である。このＭＩケーブル１７ａ、１７ｂの片端では、アウターシールド171a、171bが外筒１１の端面と溶接で接続され、もう一方の端ではＭＩコネクタ１８ａ、１８ｂが接続されて、外気から密封されている。外筒１１内で、ＭＩケーブル１７ａ、１７ｂのインナーシールド１７２ａ、１７２ｂは内筒１２に接続され、ＭＩケーブル１７ａの芯線１７３ａは高電圧極１４に接続され、ＭＩケーブル１７ｂの芯線１７３ｂは信号極１３に接続される。
【００１４】
高電圧ケーブル２及び電流信号ケーブル３は同じ構造で、それぞれアウターシールド２１、３１の内側にインナーシールド２２、３２を、このインナーシールド２２、３２の内側にそれぞれ芯線２３、３３を配した二重シールド構造の三同軸ケーブルとなっており、両端に三同軸コネクタ２４ａ、２４ｂ、３４ａ、３４ｂが接続されている。なお、高電圧ケーブル２及び電流信号ケーブル３の三同軸ケーブルは、それぞれのアウターシールド２１、３１とインナーシールド２２、３２と芯線２３、３３を互いに絶縁するようにしている。
【００１５】
信号変換器４は、金属製の箱体４１（アウターシールド）の内側に金属製のカードケース４２（インナーシールド）が配置され相互に絶縁されている。このカードケース４２は信号変換カード４３（信号変換部）を内包している。信号変換カード４３では、信号変換のための電源の供給を受けて、前述の電離箱１で計測され電流信号ケーブル３を介して伝達されてきた電離電流を、電圧または周波数の信号に変換する。この電離電流が伝送される電流信号ケーブル３と信号変換カード４３を接続するために、箱体４１内で同軸ケーブル４５ｂを配しているが、この同軸ケーブル４５ｂはシールド４５１ｂ（インナーシールド）と芯線４５２ｂからなる。電流信号ケーブル３のアウターシールド３１とインナーシールド３２は、箱体４１から絶縁部材４６ａで絶縁された三同軸コネクタ４６（接続部）を介して同軸ケーブル４５ｂのシールド４５１ｂに接続され、電流信号ケーブル３の芯線３３は三同軸コネクタ４６を介して同軸ケーブル４５ｂの芯線４５２ｂに接続される。シールド４５１ｂはカードケース４２と接続され、芯線４５２ｂは信号変換カード４３の入力と接続されている。
【００１６】
高電圧ケーブル２へ供給する高電圧を信号変換器４内で伝送するため、前述の箱体４１内では同軸ケーブル４５ａを配している。この高電圧ケーブル２のアウターシールド２１とインナーシールド２２は、箱体４１から絶縁部材４４ａで絶縁された三同軸コネクタ４４（接続部）を介して同軸ケーブル４５ａのシールド４５１ａ（インナーシールド）に接続され、高電圧ケーブル２の芯線２３は三同軸コネクタ４４を介して同軸ケーブル４５ａの芯線４５２ａに接続される。同軸ケーブル４５ａは、箱体４１から絶縁部材４７ａで絶縁された複合コネクタ４７（接続部）に接続されている。
【００１７】
信号変換カード４３で変換された信号は複合コネクタ４７に出力されるが、信号変換カード４３と複合コネクタ４７の接続のために同軸ケーブル４５ｃを配している。この同軸ケーブル４５ｃはシールド４５１ｃ（インナーシールド）と芯線４５２ｃからなり、この芯線４５２ｃは信号変換カード４３の出力と接続されて、変換された信号を複合コネクタ４７へ伝送する。
【００１８】
信号変換カード４３を駆動するために、電源線４８に接続されている。電源線４８は正電源線４８１と電源リターン線４８２と負電源線４８３から構成されている。この電源線
４８は複合コネクタ４７に接続されている。
【００１９】
なお、信号変換器４のインナーシールドは、カードケース４２と、同軸ケーブル４５ａのシールド４５１ａと、同軸ケーブル４５ｂのシールド４５１ｂと、同軸ケーブル４５ｃのシールド４５１ｃの４つであり、これら４つのインナーシールドは電気的に電源線４８の電源リターン線４８２に接続されている。また、箱体４１は単独のアウターシールドを構成して単独で接地４９にて１点接地され、前述の通りコネクタ４４、４６、複合コネクタ４７とは、絶縁部材４４ａ、４６ａ、４７ａで絶縁される。
【００２０】
複合ケーブル５は高電圧用同軸ケーブル５１と信号用同軸ケーブル５２と電源ケーブル５３を複合させアウターシールド５４に内包したものである。高電圧用同軸ケーブル５１は、信号変換器４の複合コネクタ４７を介して同軸ケーブル４５ａと接続される。すなわち、同軸ケーブル４５ａのシールド４５１ａと高電圧用同軸ケーブル５１のシールド５１１（インナーシールド）とを接続し、同軸ケーブル４５ａの芯線４５２ａと高電圧用同軸ケーブル５１の芯線５１２とを接続する。
【００２１】
また、信号用同軸ケーブル５２は、信号変換器４の複合コネクタ４７を介して同軸ケーブル４５ｃと接続される。すなわち、同軸ケーブル４５ｃのシールド４５１ｃと信号用同軸ケーブル５２のシールド５２１（インナーシールド）とを接続し、同軸ケーブル４５ｃの芯線４５２ｃと信号用同軸ケーブル５２の芯線５２２とを接続する。さらに、電源ケーブル５３は、信号変換器４の複合コネクタ４７を介して電源線４８と接続される。すなわち、電源線４８の正電源線４８１と電源ケーブル５３の正電源線５３１、電源線４８の電源リターン線４８２と電源ケーブル５３の電源リターン線５３２、電源線４８の負電源線４８３と電源ケーブル５３の負電源線５３３を接続する。電源ケーブル５３は、耐ノイズ性を向上させるため正電源線５３１と電源リターン線５３２と負電源線５３３を密に撚り合わしている。
【００２２】
測定部６は、複合ケーブル５と複合コネクタ６４により接続されており、筐体６５に高圧電源６１と測定ユニット６２と電源ユニット６３を内包する。複合コネクタ６４と筐体６５は絶縁部材６４ａにて絶縁されている。高圧電源６１は複合ケーブル５の高電圧用同軸ケーブル５１と、測定ユニット６２は信号用同軸ケーブル５２と、電源ユニット６３は電源ケーブル５３と接続される。
【００２３】
すなわち、高電圧用同軸ケーブル５１のシールド５１１は、同軸ケーブル４５ａのシールド４５１ａ及び高圧電源６１のシールドと接続し、高電圧用同軸ケーブル５１の芯線５１２は、同軸ケーブル４５ａの芯線４５２ａ及び高圧電源６１と接続しており、高電圧用同軸ケーブル５１の芯線５１２は高電圧を伝送し、シールド５１１は高電圧リターン回路として機能する。
【００２４】
また、信号用同軸ケーブル５２のシールド５２１は、同軸ケーブル４５ｃのシールド４５１ｃ及び測定ユニット６２のシールドと接続し、信号用同軸ケーブル５２の芯線５２２は、同軸ケーブル４５ｃの芯線４５２ｃ及び測定ユニット６２と接続しており、信号用同軸ケーブル５２の芯線５２２は電離箱１で計測された電離電流を変換した電圧または周波数の信号を伝送し、シールド５２１は信号リターン回路として機能する。
【００２５】
電源ユニット６３が供給する電源は、正電源（例えば＋２４Ｖ）と負電源（例えば−２４Ｖ）と接地（０Ｖ）であり、それぞれが電源ケーブル５３の正電源線５３１、負電源線５３３、電源リターン線５３２に接続する。なお、電源ユニット６３の０Ｖと、筐体６５と、複合ケーブル５のアウターシールド５４は測定部６にて統合され接地６６にて１点で接地される。すなわち、電離箱１、高電圧ケーブル２、電流信号ケーブル３のそれぞれのアウターシールドとインナーシールド、信号変換器４のインナーシールド、複合ケーブル５のアウターシールドとインナーシールドはすべて測定部６にて接地されることとなる。なお、測定部６の筐体６５がノイズ環境にある場合は、筐体６５の接地に対し、電源ユニット６３の接地（０Ｖ）及び複合ケーブル５のアウターシールド５４の接地を別にしてもよい。
【００２６】
以上のように、電離箱１、高電圧ケーブル２、電流信号ケーブル３、信号変換器４、複合ケーブル５のすべてを、アウターシールド（１１、２１、３１、４１、５４）とインナーシールド（１２、２２、３２、４２、４５１ａ、４５１ｂ、４５１ｃ、５１１、５２１）の二重シールドで電磁遮蔽した構造としたため、フィールドの電磁ノイズ環境に対して空中伝播のノイズ侵入経路の遮断をより強化することができ、電離箱周辺及び信号変換器周辺の電磁誘導ノイズの影響を低減することができる。
【００２７】
また、電離箱１のアウターシールド１１と高電圧ケーブル２のアウターシールド２１と電流信号ケーブル３のアウターシールド３１を電気的に接続し、電離箱１のインナーシールド１２と高電圧ケーブル２のインナーシールド２２と電流信号ケーブル３のインナーシールド３２を電気的に接続し、これらのアウターシールド（１１、２１、３１）とインナーシールド（１２、２２、３２）を信号変換器４内のインナーシールド（４２、４５１ａ、４５１ｂ、４５１ｃ）と接続して、この信号変換器４内のインナーシールド（４２、４５１ａ、４５１ｂ、４５１ｃ）を複合ケーブルのインナーシールド（５１１、５２１）と接続した上で、電源リターン線（４８２、５３２）を介して測定部６で１点で接地するようにしたため、接地からの迷走電流ノイズの進入を遮断できるので、耐ノイズ性を強化し信頼性を高くすることができる。
【００２８】
また、信号変換器４の箱体４１（アウターシールド）をインナーシールド（４２、４５１ａ、４５１ｂ、４５１ｃ）と絶縁し、１点で接地するようにしたため、信号変換器においてさらに接地からの迷走電流ノイズの進入を遮断できるので、耐ノイズ性を強化し信頼性を高くすることができる。
【００２９】
また、電離箱１は外筒１１（アウターシールド）、内筒１２（インナーシールド）、信号極１３、高電圧極１４を同軸状に配置したので、電離箱周辺の電磁誘導ノイズの影響を低減することができる。
【００３０】
実施の形態２．
なお、実施の形態１において、電離箱１は、金属製の外筒１１（アウターシールド）の内側に金属製の内筒１２（インナーシールド）を、この内筒１２の内側に信号極１３を、さらにこの信号極１３の内側に高電圧極１４を、同軸上に配置してそれぞれセラミック絶縁板１５ａ、１５ｂで絶縁し、外筒１１にガス１６を封入して一様に分布するようにした構造であるが、実施の形態２では、図２に示すように、信号極１３の外側に高電圧極１９を設け、高電圧極１４と同じ高電圧を印加するようにしたものである。
【００３１】
図２は、実施の形態１における放射線モニタである図１から、電離箱１の部分を抜き出し、実施の形態２の構成に変更したものであり、高電圧ケーブル２、電流信号ケーブル３、信号変換器４、複合ケーブル５、測定部６は実施の形態１と同じ構成である。図２において、電離箱１の金属製の外筒１１の内側に金属製の内筒１２を、この内筒１２の内側に高電圧極１９（第１の高電圧極）を、この高電圧極１９の内側に信号極１３を、さらにこの信号極１３の内側に高電圧極１４（第２の高電圧極）を配している。これら外筒１１、内筒１２、高電圧極１９、信号極１３及び高電圧極１４の配置は同軸状とし、それぞれを互いにセラミック絶縁板１５ａ、１５ｂで絶縁し、外筒１１にガス１６を封入して一様に分布するようにしている。
【００３２】
ＭＩケーブル１７ａ、１７ｂは、アウターシールド１７１ａ、１７１ｂの内側にインナーシールド１７２ａ、１７２ｂを、このインナーシールド１７２ａ、１７２ｂの内側に芯線１７３ａ、１７３ｂを配置して酸化マグネシウムなどの絶縁材１７４ａ、１７４ｂを充填した二重シールド構造である。なおシールドは一般的に金属性導体である。このＭＩケーブル１７ａ、１７ｂの片端では、アウターシールド１７１ａ、１７１ｂが外箱１１と溶接で接続され、もう一方の端ではＭＩコネクタ１８ａ、１８ｂが接続されて、外気から密封されている。外筒１１内で、ＭＩケーブル１７ａ、１７ｂのインナーシールド１７２ａ、１７２ｂは内筒１２に接続され、ＭＩケーブル１７ａの芯線１７３ａは高電圧極１４および高電圧極１９に接続され、ＭＩケーブル１７ｂの芯線１７３ｂは信号極１３に接続される。
【００３３】
このように、信号極１３を高電圧極１４と高電圧極１９ではさむ構造とすることにより、同じ容積で電界強度を増すことができ、大線量における電子とイオンの再結合を抑制できるため、ワイドレンジの放射線モニタを提供できる。この実施の形態２は、次の実施の形態３にも適用できる。
【００３４】
実施の形態３．
なお、実施の形態１では、信号変換器４において三同軸コネクタ４４、４６及び複合コネクタ４７を絶縁部材４４ａ、４６ａ、４７ａにて箱体４１から絶縁し、この箱体４１を単独で接地４９にて接地するようにしていたが、実施の形態３では、図３に示すように三同軸コネクタ４４、４６及び複合コネクタ４７を箱体４１に直接取り付け、高電圧ケーブル２、電流信号ケーブル３及び複合ケーブル５のアウターシールド２１、３１、５４が箱体４１に電気的に接続されるようにしている。さらに、測定部６においても、複合コネクタ６４と筐体６５を直接取り付けている。
【００３５】
このようにすることで、電離箱１から複合ケーブル５までを、アウターシールドの内側に絶縁されたインナーシールドを配置し、インナーシールドの中に高電圧と信号を包含した構造とし、箱体４１の接地をなくした構成としたので、信号変換器４の接地から進入するノイズを軽減でき、ノイズマージンを大幅に増すことができる。
【００３６】
実施の形態４．
なお、信号変換器４は人が容易にアクセスできる場所に配置されることが多いため、実施の形態４は、図４に示すように三同軸コネクタ４４、４６及び複合コネクタ４７を覆う取り外し可能な絶縁キャップ７１ａ、７１ｂをねじ止めするようにしたので、帯電した人体が該当コネクタに接触することにより信号変換器４のインナーシールドまたは信号変換器４の箱体４１の内面を電撃電流が流れるのを防止できるので、大きな指示変動の原因となる帯電ノイズを防止できる効果を奏する。
【符号の説明】
【００３７】
１  電離箱         １１  外筒（アウターシールド）
１２  内筒（インナーシールド）   １３  信号極
１４  高電圧極（第２の高電圧極）        １９  高電圧極（第１の高電圧極）
２  高電圧ケーブル        ２１  アウターシールド
２２  インナーシールド           ２３  芯線
３  電流信号ケーブル      ３１  アウターシールド
３２  インナーシールド           ３３  芯線
４  信号変換器     ４１  箱体（アウターシールド）
４２  カードケース（インナーシールド）  ４３  信号変換カード（信号変換部）
４４  三同軸コネクタ（接続部）
４５ａ、４５ｂ、４５ｃ  同軸ケーブル
４５１ａ、４５１ｂ、４５１ｃ  シールド（インナーシールド）
４５２ａ、４５２ｂ、４５２ｃ  芯線
４６  三同軸コネクタ（接続部）          ４７  複合コネクタ（接続部）
５  複合ケーブル   ５１  高電圧用同軸ケーブル
５１１  インナーシールド  ５１２  芯線
５２  信号用同軸ケーブル  ５２１  インナーシールド
５２２  芯線５４  アウターシールド
６  測定部
【図１】
2011080862.tif 000003
【図２】
2011080862.tif 000004
【図３】
2011080862.tif 000005
【図４】
2011080862.tif 000006